(57)【特許請求の範囲】
【請求項１】
略Ｕ字状に折曲し、底辺上面にケーブルハンガーリングの装着時に受部の幅方向両端側に外側から挟持するように立ち上がり形成された底部挟持片を設け、底辺下面に操作棒に取付けるアタッチメントに嵌合する嵌合軸を設け、対向壁に対向方向に突設され前記受部の両端部を挟持すると共に弾性脚の根本対向部付近まで位置する側部挟持片を設けた支持体を有するケーブルハンガーリング着脱工具において、該支持体の対向壁の片方に、弾性脚の深浅識別突起を設けると共に、ケーブルハンガーリングの弾性脚最大開放幅と平行にガイド板を前記嵌合軸に嵌合したことを特徴とするケーブルハンガーリング着脱工具。
【発明の詳細な説明】
【０００１】
【発明の属する技術分野】
本発明は、架空線路の丸形通信線（メタル電話線，光ファイバー線，ＣＡＴＶの同軸線を含む）等を吊線（メッセンジャーワイヤ）に吊架するケーブルハンガーリングの着脱工具に関するものである。
【０００２】
【従来の技術】
従来、丸形通信線等を吊線に吊架する際、ケーブルハンガーリングの取付作業は吊線に吊るした宙乗作業機に乗ったり、或は梯子を吊線に立て掛け作業者が梯子に昇ったり、高所作業車のバケットに乗って吊線近辺に移動し、作業者の手作業によるものであり、作業者はいずれの場合も危険な高所作業を余儀なくされていた。
【０００３】
ところが近年、ケーブルハンガーリング着脱工具（特開平８−１３０８１０号）が提案され地上からの取付け作業が可能となった。
【０００４】
【発明が解決しようとする課題】
しかしながら、前記のケーブルハンガーリング着脱工具は、危険な高所作業を軽減するという目的は達成し得るものの、操作性，機能性が悪く課題を残すものであった。
つまり、操作棒を引き出してケーブルハンガーリングの着脱を行う先端部は、地上高５〜６メートル先であり、着脱時に操作棒を捻るために、ほぼ真下より作業位置を見上げて作業するものであり、細いケーブルハンガーリングの弾性脚の方向が確認しづらく着脱に無駄な時間と労力がかかっていた。
【０００５】
本発明は、上記従来の問題点を解決することを、その目的とするもので、構造が簡単なことから安価に製作できて、組み付けが容易であり、簡単な操作で着脱可能な、ケーブルハンガーリングの着脱工具を提供するものである。
【０００６】
【課題を解決するための手段】
本発明では以上のような課題を解決するため、支持体の対向壁の片方に、ハンガー脚の深浅識別突起を設けると共に、ケーブルハンガーリングの弾性脚の最大開放幅と平行にガイド板を前記嵌合軸に嵌合する構造を有している。
【０００７】
ハンガー脚の深浅識別突起側には、ケーブルハンガーリングの深い方の弾性脚を取付けて一方向を決め、ガイド板は、これに既設の通信線を平行に添わせることによりケーブルハンガーリング内に通信線を容易に納めることが可能になるものである。
【０００８】
【実施例】
本発明の実施例を詳記すると、
図１，図２に示すように、略Ｕ字状に折曲し、底辺１上面にケーブルハンガーリングＨの装着時に受部Ｈ１の幅方向両端側に外側から挟持するように立ち上がり形成された底部挟持片２を設け、底辺１下面に操作棒Ｓに取付けるアタッチメントＡに嵌合する一部六角形状の嵌合軸３を設け、対向壁４に対向方向に突設され前記受部Ｈ１の両端部を挟持すると共に弾性脚の根本対向部付近まで位置する側部挟持片５を設けた支持体６を有するケーブルハンガーリング着脱工具７において、該支持体６の対向壁４の片方に、弾性脚の深浅識別突起８としてノブを設けると共に、ケーブルハンガーリングＨの弾性脚の最大開放幅と平行にガイド板９を前記嵌合軸３に嵌合した構造を有している。
側部挟持片５を弾性脚の根本対向部付近まで位置させることにより、ケーブルハンガーリングＨをセットした際、弾性脚の捻った部位が側部挟持片５上に当接して動きが制限され正しい位置にセットできる。
【０００９】
支持体６は、アタッチメントＡの先端部のソケット部に、一部六角形状の嵌合軸３を嵌合するのであるが、この時にガイド板９も一緒に嵌合するものであり、ハンガーリングの弾性脚の最大開放幅にあわせて嵌合し、固定軸Ａ１を締め付けて抜け止めを行うものである。
【００１０】
図１０に示すように、ケーブルハンガーリングＨは鋼線材によって形成されており、中間部を略Ｕ字状に曲げ、そのＵ字底に樹脂製の保護片を重合して受部Ｈ１を設け、該鋼線材を９０度捻ってＵ字底に載置する通信線Ｃが吊線Ｗと並行する構成である。
【００１１】
ケーブルハンガーリングＨの両端部は吊線Ｗに掛止するため、屈曲が施されている。この両端の吊線掛止屈曲部は類似形状であるが同一ではなく、互いに逆方向へ曲げられているとともに、一方は吊線への掛止角度が深く、他方は浅い。
【００１２】
これは吊線Ｗへの取付け、取外しを考慮したもので、取付け時には先ず掛止角度の深い方の弾性脚Ｈ２を先に吊線Ｗに掛止し、次に鋼線材の弾力に抗しながら掛止角度の浅い方の弾性脚Ｈ３を掛止する。この鋼線材の弾力によって吊線Ｗ上の定位置を保持するものである。
また、ケーブルハンガーリングＨの掛止角度の深い方の弾性脚Ｈ２は、傾斜地での風圧等による振動からハンガーリングの吊線滑りによる移動を防止する役目を持ち、傾斜方向に対し下側（谷側）に掛止角度の深い方の弾性脚Ｈ２を設置することで長期の自然現象による移動及びケーブルの垂れ下がりを防止している。
また、この吊線Ｗを掛止する弾性脚Ｈ２，Ｈ３は互いに逆方向へ曲げ加工されているため、吊線Ｗの延伸方向に対し、一方が右方向から吊線Ｗ上へ被さる掛止を行えば、他方は左から掛止を行うものである。
【００１３】
ケーブルハンガーリングＨの取付手順を図３から図９を参考に説明する。
先ず、ケーブルハンガーリングＨの掛止角度の深い方の弾性脚Ｈ２を弾性脚の深浅識別突起８側になるようにして支持体６に嵌入する。（図３）
続いて地上よりの操作により操作棒Ｓを伸張し、取付位置まで伸ばす。
そして、ガイド板９を通信線Ｃに平行に添わしてケーブルハンガーリングＨ内に通信線Ｃを納める。（図４，５）
次に操作棒Ｓを右側に回転し（図６）、吊線Ｗをかわした後、掛止角度の深い方の弾性脚Ｈ２の掛止（図７）を行う。
そしてさらに操作棒Ｓを右側に回転し（図８）、吊線Ｗをかわした後、操作棒Ｓを戻し（左側に回転し）、掛止角度の浅い方の弾性脚Ｈ３の掛止（図９）を行う。
そして、操作棒Ｓを引き降ろして作業は完了する。
上記した手順を繰り返し行うものである。
【００１４】
本発明の着脱工具で、ケーブルハンガーリングＨを取り外す場合は、操作棒Ｓを伸張し、取付位置まで伸ばし、支持体６内にケーブルハンガーリングＨのＵ字状受部Ｈ１を受止め、操作棒Ｓをどちらかに回転することにより、ケーブルハンガーリングＨの掛止角度の浅い方の弾性脚Ｈ３を外すことができ、次に掛止角度の深い方の弾性脚Ｈ２を外し、ガイド板９を通信線Ｃに平行に添わすことで、ケーブルハンガーリングの弾性脚最大開放幅に対応し、通信線Ｃにケーブルハンガーリングの弾性脚を引っ掛けて落下させることなく、通信線ＣよりケーブルハンガーリングＨを容易に取り外し、回収することができるものである。
【００１５】
既設の通信線Ｃのない場合（新設の場合）は、ケーブルハンガーリングＨの掛止角度の深い方の弾性脚Ｈ２をハンガー脚の深浅識別突起８側になるようにして支持体６に嵌入し（図３）、続いて地上よりの操作により操作棒Ｓを伸張し、取付位置まで伸ばす。そして、掛止角度の深い方の弾性脚Ｈ２の掛止を行い、続いて右側に回転し、吊線Ｗをかわした後、掛止角度の浅い方の弾性脚Ｈ３の掛止を行う。
取り外す場合は、操作棒Ｓを伸張し、取付位置まで伸ばし、支持体６内にケーブルハンガーリングＨのＵ字状受部Ｈ１を受止め、操作棒Ｓをどちらかに回転することにより、ケーブルハンガーリングＨの掛止角度の浅い方の弾性脚Ｈ３を外すことができ、次に掛止角度の深い方の弾性脚Ｈ２を外し、操作棒Ｓを引き降ろして作業は完了する。
【００１６】
着脱作業を地上よりの操作で完遂するために必要な操作棒Ｓを簡単に説明する。操作棒Ｓは、図１１に示すような形状で、炭素繊維層を設けたＦＲＰ製パイプであり、軽量，高剛性で撓みの少ない伸縮式操作棒であり、先端部に着脱工具のアタッチメントを嵌合して使用するものである。この伸縮操作棒は、作業に応じて自由に高さを調節できるもので、高所遠隔操作に適したものである。
【００１７】
【発明の効果】
以上のように本発明のケーブルハンガーリング着脱工具を使用することにより、作業者は地上より操作棒を持って左右に回動するだけでケーブルハンガーリングの取付け、取外しができ、作業者がハンガーリングの方向を地上より容易に確認でき無駄な動きが無く、素早く作業が行え、能率アップとなるものである。
また、危険な宙乗作業機等による高所作業が無くなり、作業者は墜落災害より解放される。
また、交通量の多い道路で、長時間高所作業車を止めて作業することはなく、交通の障害とはならない。
【図面の簡単な説明】
【図１】本願ケーブルハンガーリング着脱工具の斜視図。
【図２】本願ケーブルハンガーリング着脱工具の分解斜視図。
【図３】本願ケーブルハンガーリング着脱工具にハンガーリングを嵌合した斜視図。
【図４】本願ケーブルハンガーリング着脱工具の下方向からの斜視図。
【図５】本願ケーブルハンガーリング着脱工具の使用状態手順図（通信線嵌入）。
【図６】本願ケーブルハンガーリング着脱工具の使用状態手順図（右回転）。
【図７】本願ケーブルハンガーリング着脱工具の使用状態手順図（深い方の弾性脚係止）。
【図８】本願ケーブルハンガーリング着脱工具の使用状態手順図（右回転）。
【図９】本願ケーブルハンガーリング着脱工具の使用状態手順図（浅い方の弾性脚係止）。
【図１０】ケーブルハンガーリングの側面図。
【図１１】本願に使用する操作棒の斜視図。
【符号の説明】
１  底辺
２  底部挟持片
３  嵌合軸
４  対向壁
５  側部挟持片
６  支持体
７  ケーブルハンガーリング着脱工具
８  識別突起
９  ガイド板
Ａ    アタッチメント
Ａ１  固定軸
Ｃ    通信線
Ｈ    ケーブルハンガーリング
Ｈ１  受部
Ｈ２  深い方の弾性脚
Ｈ３  浅い方の弾性脚
Ｓ    操作棒
Ｗ    吊線（メッセンジャーワイヤ）
【図１】
0003681713.tif 000002
【図２】
0003681713.tif 000003
【図３】
0003681713.tif 000004
【図４】
0003681713.tif 000005
【図５】
0003681713.tif 000006
【図６】
0003681713.tif 000007
【図７】
0003681713.tif 000008
【図８】
0003681713.tif 000009
【図９】
0003681713.tif 000010
【図１０】
0003681713.tif 000011
【図１１】
0003681713.tif 000012